(57)【要約】【課題】ユーザの要求により生成および表示するサムネイル画像を更新することが可能な映像信号記録再生装置およびこれを利用したサムネイル画像表示システムを提供する。【解決手段】ユーザ端末１０に既に提供したサムネイル画像の更新を要求する更新サムネイル画像取得要求をユーザ端末１０から受信したときは、前回提供したサムネイル画像の生成に利用した映像コンテンツ中の画像から予め設定された再生時間分経過後の画像を取得して更新サムネイル画像として記録するサムネイル画像記録部２６を有するＤＶＤレコーダ２０と、このＤＶＤレコーダ２０に記録されたサムネイル画像を取得して表示するユーザ端末１０とを備える。【選択図】図１
2007208511.tif 000002
【特許請求の範囲】
【請求項１】
ネットワークを介して接続されるユーザ端末に、記録した映像コンテンツのサムネイル画像を送信して前記ユーザ端末に前記サムネイル画像を表示させるようにした映像信号記録再生装置であって、
前記記録した映像コンテンツを格納するコンテンツ記録部と、
前記ユーザ端末との通信を行う送受信部と、
前記ユーザ端末から前記送受信部を経由して前記映像コンテンツのサムネイル画像を要求するサムネイル画像取得要求を受信し、このサムネイル画像取得要求に応じた前記コンテンツ記録部の画像位置情報を生成する画像位置情報生成部と、
前記画像位置情報に対応する画像をサムネイル画像として記録するサムネイル画像記録部と、
前記サムネイル画像記録部における前記サムネイル画像の記録場所に基づいた提供データを生成して、前記サムネイル画像取得要求に対する応答として前記ユーザ端末に送信するために前記送受信部へ供給する提供データ生成部と、
前記ユーザ端末から前記送受信部を経由して前記提供データに応答した画像データ要求を受信したときには、前記サムネイル画像記録部から前記サムネイル画像を取得して前記ユーザ端末に送信するために前記送受信部へ供給するサムネイル画像取得部と、
を有し、
前記画像位置情報生成部は、前記サムネイル画像取得要求が前記映像コンテンツのデフォルトのサムネイル画像である初期サムネイル画像を要求する初期サムネイル画像取得要求であるときは、予め設定された前記映像コンテンツの画像位置情報である初期画像位置情報を生成し、前記サムネイル画像取得要求が前記ユーザ端末に既に提供したサムネイル画像の更新を要求する更新サムネイル画像取得要求であるときは、前回提供したサムネイル画像の生成に利用した前記映像コンテンツの画像から予め設定された再生時間分経過後の画像位置情報である更新画像位置情報を生成する
ことを特徴とする映像信号記録再生装置。
【請求項２】
映像コンテンツを記録し再生する映像信号記録再生装置から、この映像信号記録再生装置にネットワークを介して接続されるユーザ端末にサムネイル画像を送信して前記ユーザ端末に前記サムネイル画像を表示させるようにしたサムネイル画像表示システムであって、
前記映像記録装置は、
前記記録した映像コンテンツを格納するコンテンツ記録部と、
前記ユーザ端末との通信を行う第１送受信部と、
前記ユーザ端末から前記第１送受信部を経由して前記映像コンテンツのサムネイル画像を要求するサムネイル画像取得要求を受信し、このサムネイル画像取得要求に応じた前記コンテンツ記録部の画像位置情報を生成する画像位置情報生成部と、
前記画像位置情報に対応する画像をサムネイル画像として記録するサムネイル画像記録部と、
前記サムネイル画像記録部における前記サムネイル画像の記録場所に基づいた提供データを生成して、前記サムネイル画像取得要求に対する応答として前記ユーザ端末に送信するために前記第１送受信部へ供給する第１データ生成部と、
前記ユーザ端末から前記第１送受信部を経由して前記提供データに応答した画像データ要求を受信したときには、前記サムネイル画像記録部から前記サムネイル画像を取得して前記ユーザ端末に送信するために前記第１送受信部へ供給するサムネイル画像取得部と、
を有し、
前記画像位置情報生成部は、前記サムネイル画像取得要求が前記映像コンテンツのデフォルトのサムネイル画像である初期サムネイル画像を要求する初期サムネイル画像取得要求であるときは、予め設定された前記映像コンテンツの画像位置情報である初期画像位置情報を生成し、前記サムネイル画像取得要求が前記ユーザ端末に既に提供したサムネイル画像の更新を要求する更新サムネイル画像取得要求であるときは、前回提供したサムネイル画像の生成に利用した前記映像コンテンツの画像から予め設定された再生時間分経過後の画像位置情報である更新画像位置情報を生成し、
前記ユーザ端末は、
前記映像信号記録再生装置との通信を行う第２送受信部と、
ユーザの操作により前記初期サムネイル画像または前記更新サムネイル画像の取得が要求されたときには前記初期サムネイル画像取得要求または前記更新サムネイル画像取得要求を生成して前記映像信号記録再生装置に送信するために第２送受信部へ供給し、前記映像信号記録再生装置から前記第２送受信部を経由して前記初期サムネイル画像取得要求または前記更新サムネイル画像取得要求に応答した前記提供データを受信したときにはこの提供データに対応するサムネイル画像データを要求する前記画像データ要求を生成して前記映像信号記録再生装置に送信するために前記第２送受信部へ提供する第２データ生成部と、
前記映像信号記録再生装置から前記第２送受信部を経由して前記画像データ要求に応答した前記サムネイル画像データを取得してサムネイル画像を表示する表示部と、
を有する
ことを特徴とするサムネイル画像表示システム。
【発明の詳細な説明】
【技術分野】
【０００１】
本発明は、映像コンテンツからサムネイル画像を生成して外部の端末に提供する映像信号記録再生装置およびこれを利用したサムネイル画像表示システムに関する。
【背景技術】
【０００２】
従来、家電機器を相互にネットワークを介して接続することにより、異なる家電機器間で機能を共有することが可能になっている。
【０００３】
その一例として、インターネットを介してＤＶＤ（Digital Versatile Disk）レコーダとパーソナルコンピュータ（以下、「ＰＣ」と称する）または携帯電話とを接続し、このＤＶＤレコーダに録画した映像コンテンツ（以下、「録画コンテンツ」と称する）をインターネット経由で遠隔地にあるＰＣまたは携帯電話端末から閲覧または削除などの操作をする利用方法がある。
【０００４】
以下、ユーザ端末としての携帯電話端末からインターネットを介してＤＶＤレコーダの録画コンテンツを操作するときの動作について図３、４、１３、１４を参照して説明する。
【０００５】
まず、ユーザによりユーザ端末にＤＶＤレコーダのＵＲＬが入力される（Ｓ６１）と、ユーザ端末でアクセス要求が生成され、インターネットを介してＤＶＤレコーダに送信される（Ｓ６２）。
【０００６】
ＤＶＤレコーダでアクセス要求が受信されると、ＤＶＤレコーダからユーザ端末へログイン画面が送信される（Ｓ６３）。
【０００７】
ユーザ端末でログイン画面が受信されると、このログイン画面が図３に示すようにモニタに表示される（Ｓ６４）。
【０００８】
ログイン画面が表示された状態でユーザによりユーザＩＤとパスワードとが入力され、ログイン画面内の「ログイン」ボタンが押下されると、ユーザ端末でこれらの入力された情報を含むログイン要求が生成され、ＤＶＤレコーダに送信される（Ｓ６５）。
【０００９】
ＤＶＤレコーダでは、ログイン要求が受信されると、このログイン要求に含まれるユーザＩＤとパスワードとが正規のユーザのものであるかどうかが確認される（Ｓ６６）。
【００１０】
ＤＶＤレコーダにおいてユーザＩＤとパスワードとが正規のユーザのものであると認証されたときは、ＤＶＤレコーダからユーザ端末に操作メニューが送信される（Ｓ６７）。
【００１１】
ユーザ端末で操作メニューが受信されると、この操作メニューが図４に示すようにモニタに表示される（Ｓ６８）。この操作メニューには、遠隔でＤＶＤレコーダを操作するための「予約設定」ボタン、「予約一覧」ボタン、「予約重複検索」ボタン、「録画コンテンツ一覧」ボタン、およびこれらの隔操作を終了するための「ログアウト」ボタンなどの操作ボタンが表示されている。
【００１２】
ユーザ端末に表示された操作メニューの中から、例えば「録画コンテンツ一覧」ボタンがユーザにより押下されたときは、ＤＶＤレコーダに録画されているコンテンツの一覧を要求する録画コンテンツ一覧要求が生成されユーザ端末からＤＶＤレコーダに送信される（Ｓ６９）。
【００１３】
ＤＶＤレコーダでは、録画コンテンツ一覧要求が受信されると、録画されているコンテンツの情報が取得されて録画コンテンツ一覧が生成されユーザ端末に送信される（Ｓ７０）。
【００１４】
ユーザ端末では、録画コンテンツ一覧画面が受信されると、この録画コンテンツ一覧画面が図１４に示すようにモニタに表示される（Ｓ７１）。
【００１５】
図１４に示すように、録画コンテンツ一覧画面には、例えば録画コンテンツの書誌情報８４、８５、８６、当該コンテンツを削除するための「削除実行」ボタン８７、表示されている以外に録画されたコンテンツがある場合にそれらを表示させるための「次を見る」ボタン８８、操作メニュー画面に戻るための「メニューへ戻る」ボタン８９などが表示される。
【００１６】
図１４のような録画コンテンツ一覧画面がユーザ端末のモニタに表示されると、ユーザは表示された一覧からＤＶＤレコーダに録画されている各コンテンツを選択して（Ｓ７２）、閲覧または削除などの操作を行うことが可能になる。
【００１７】
このように家庭内にあるＤＶＤレコーダと携帯電話端末をインターネットに接続することにより、ユーザは外出先などからも家庭内にあるＤＶＤレコーダを操作することができ、利便性が向上する。
【００１８】
一方、近年のＤＶＤ（Digital Versatile Disk）やハードディスクなどの容量の増加に伴い、同一のメディアに多数の映像コンテンツを録画することが可能になっている。
【００１９】
同一のメディアに多数の映像コンテンツが録画されると、上記のステップＳ７２のようにユーザが所望のコンテンツを選択する際に、ファイル名のみでは判別が困難になる。
【００２０】
そこで、録画コンテンツ一覧画面内に各録画コンテンツの代表画像を縮小したサムネイル画像を表示させ、ユーザが映像コンテンツを判別しやすくする技術がある。
【００２１】
特許文献１には、ホームサーバに記録された映像コンテンツを外部の端末からアクセスして削除する際に、各映像コンテンツを基にして生成したサムネイル画像を外部の端末に表示させ、削除するコンテンツをユーザに選択させる技術が記載されている。
【００２２】
この技術を利用することにより、録画コンテンツの数が多くなってもユーザが各コンテンツを判別することが容易になる。
【特許文献１】特開２００１−２８３５７０号公報
【発明の開示】
【発明が解決しようとする課題】
【００２３】
しかし、特許文献１の技術でサムネイル画像を生成する際に、コンテンツの再生開始から一定時間経過後の画像をサムネイル画像として取得する方法を用いると、コマーシャルメッセージ（ＣＭ）の画像が取得されてしまったり、ユーザにとってコンテンツの内容を判断できない画像が取得されてしまったりすることがあるという問題があった。
【００２４】
本発明はこの問題に鑑み、ユーザの要求によりサムネイル画像を更新して生成することが可能な映像信号記録再生装置およびこれを利用したサムネイル画像表示システムを提供することを目的とする。
【課題を解決するための手段】
【００２５】
上記目的を達成するための本発明の請求項１に記載の映像信号記録再生装置は、ネットワークを介して接続されるユーザ端末に、記録した映像コンテンツのサムネイル画像を送信してユーザ端末にサムネイル画像を表示させるようにした映像信号記録再生装置であって、記録した映像コンテンツを格納するコンテンツ記録部と、ユーザ端末との通信を行う送受信部と、ユーザ端末から送受信部を経由して映像コンテンツのサムネイル画像を要求するサムネイル画像取得要求を受信し、このサムネイル画像取得要求に応じたコンテンツ記録部の画像位置情報を生成する画像位置情報生成部と、画像位置情報に対応する画像をサムネイル画像として記録するサムネイル画像記録部と、サムネイル画像記録部におけるサムネイル画像の記録場所に基づいた提供データを生成して、サムネイル画像取得要求に対する応答としてユーザ端末に送信するために送受信部へ供給する提供データ生成部と、ユーザ端末から送受信部を経由して提供データに応答した画像データ要求を受信したときには、サムネイル画像記録部からサムネイル画像を取得してユーザ端末に送信するために送受信部へ供給するサムネイル画像取得部とを有し、画像位置情報生成部は、サムネイル画像取得要求が映像コンテンツのデフォルトのサムネイル画像である初期サムネイル画像を要求する初期サムネイル画像取得要求であるときは、予め設定された映像コンテンツの画像位置情報である初期画像位置情報を生成し、サムネイル画像取得要求がユーザ端末に既に提供したサムネイル画像の更新を要求する更新サムネイル画像取得要求であるときは、前回提供したサムネイル画像の生成に利用した映像コンテンツの画像から予め設定された再生時間分経過後の画像位置情報である更新画像位置情報を生成することを特徴とする。
【００２６】
また、請求項２に記載のサムネイル画像表示システムは、映像コンテンツを記録し再生する映像信号記録再生装置から、この映像信号記録再生装置にネットワークを介して接続されるユーザ端末にサムネイル画像を送信してユーザ端末にサムネイル画像を表示させるようにしたサムネイル画像表示システムであって、映像記録装置は、記録した映像コンテンツを格納するコンテンツ記録部と、ユーザ端末との通信を行う第１送受信部と、ユーザ端末から第１送受信部を経由して映像コンテンツのサムネイル画像を要求するサムネイル画像取得要求を受信し、このサムネイル画像取得要求に応じたコンテンツ記録部の画像位置情報を生成する画像位置情報生成部と、画像位置情報に対応する画像をサムネイル画像として記録するサムネイル画像記録部と、サムネイル画像記録部におけるサムネイル画像の記録場所に基づいた提供データを生成して、サムネイル画像取得要求に対する応答としてユーザ端末に送信するために第１送受信部へ供給する第１データ生成部と、ユーザ端末から第１送受信部を経由して提供データに応答した画像データ要求を受信したときには、サムネイル画像記録部からサムネイル画像を取得してユーザ端末に送信するために第１送受信部へ供給するサムネイル画像取得部とを有し、画像位置情報生成部は、サムネイル画像取得要求が映像コンテンツのデフォルトのサムネイル画像である初期サムネイル画像を要求する初期サムネイル画像取得要求であるときは、予め設定された映像コンテンツの画像位置情報である初期画像位置情報を生成し、サムネイル画像取得要求がユーザ端末に既に提供したサムネイル画像の更新を要求する更新サムネイル画像取得要求であるときは、前回提供したサムネイル画像の生成に利用した映像コンテンツの画像から予め設定された再生時間分経過後の画像位置情報である更新画像位置情報を生成し、ユーザ端末は、映像信号記録再生装置との通信を行う第２送受信部と、ユーザの操作により初期サムネイル画像または更新サムネイル画像の取得が要求されたときには初期サムネイル画像取得要求または更新サムネイル画像取得要求を生成して映像信号記録再生装置に送信するために第２送受信部へ供給し、映像信号記録再生装置から第２送受信部を経由して初期サムネイル画像取得要求または更新サムネイル画像取得要求に応答した提供データを受信したときにはこの提供データに対応するサムネイル画像データを要求する画像データ要求を生成して映像信号記録再生装置に送信するために第２送受信部へ提供する第２データ生成部と、映像信号記録再生装置から第２送受信部を経由して画像データ要求に応答したサムネイル画像データを取得してサムネイル画像を表示する表示部とを有することを特徴とする。
【発明の効果】
【００２７】
本発明の映像信号記録再生装置およびこれを利用したサムネイル画像表示システムによれば、ユーザによりサムネイル画像の更新要求があったときに、新たなサムネイル画像を生成することができる。
【発明を実施するための最良の形態】
【００２８】
〈第１実施形態〉
本発明の第１実施形態によるサムネイル画像表示システムは、映像信号記録再生装置としてのＤＶＤレコーダに記録された各映像コンテンツのサムネイル画像を、このＤＶＤレコーダにネットワークを介して接続された外部の端末としてのユーザ端末に送信して表示し、さらにユーザの要求により表示したサムネイル画像を更新するものである。
【００２９】
《第１実施形態によるサムネイル画像表示システムの構成》
本実施形態によるサムネイル画像表示システムの構成を図１を参照して説明する。
【００３０】
本実施形態によるサムネイル画像表示システム１は、ユーザ端末１０とＤＶＤレコーダ２０とがインターネット３０を介して接続されている。
【００３１】
ユーザ端末１０は、携帯電話端末やパーソナルコンピュータなどであり、ユーザにより操作される入力キーなど入力操作を行う入力部１１と、入力部１１の操作によりＨＴＴＰ（HyperText Transfer Protocol）で通信を行うためのデータを生成するＨＴＴＰデータ生成部１２と、インターネット３０に接続されＤＶＤレコーダ２０との通信を行う送受信部１３と、ＤＶＤレコーダ２０から受信したデータなどを表示する表示部１４とを有する。
【００３２】
ＤＶＤレコーダ２０は、コントロール信号入力部２１と、映像信号処理部２２と、コンテンツ記録部２３と、送受信部２４と、ＣＰＵ２５と、サムネイル画像記録部２６とを有する。
【００３３】
コントロール信号入力部２１は、ユーザインタフェースである外装タッチパネルやリモコンなどから映像コンテンツの録画や再生などを指示するコントロール信号を入力して映像信号処理部２２に出力する。
【００３４】
映像信号処理部２２は、コントロール信号入力部２１から取得したコントロール信号による録画指示に基づいて、外部から映像コンテンツの映像信号を入力してＡ／Ｄ変換、およびＭＰＥＧ２またはＭＰＥＧ４などの圧縮処理などを行ってコンテンツ記録部２３に出力する。また、コントロール信号入力部２１から取得したコントロール信号による再生指示に基づいて、コンテンツ記録部２３から圧縮された映像信号を取得して伸張処理およびＤ／Ａ変換などを行って映像信号として外部に出力する。
【００３５】
コンテンツ記録部２３は、ＤＶＤやハードディスクなどであり、映像信号処理部２２で圧縮処理された映像信号を格納することで映像コンテンツを録画する。本実施形態においては、映像コンテンツを識別するための登録番号1)〜25)が付された複数のコンテンツを録画しているものとする。
【００３６】
送受信部２４は、インターネット３０に接続され、ユーザ端末１０との通信を行う。
【００３７】
ＣＰＵ２５は、ユーザ認証部２５１と、画像位置情報生成部２５２と、提供データ送信部としてのＨＴＭＬデータ生成部２５３と、サムネイル画像取得部２５４とを有する。
【００３８】
ユーザ認証部２５１は、ユーザにより入力されたユーザＩＤとパスワードを含むログイン要求をユーザ端末１０から受信し、このユーザＩＤとパスワードとが正規のユーザのものであるか否かを確認する。
【００３９】
画像位置情報生成部２５２は、映像コンテンツのデフォルトのサムネイル画像である初期サムネイル画像を要求する初期サムネイル画像取得要求をユーザ端末１０から受信したときは、この初期サムネイル画像を生成するために予め設定された映像コンテンツ中の画像位置を示す初期画像位置情報を生成し、ユーザ端末１０に既に提供したサムネイル画像の更新を要求する更新サムネイル画像取得要求をユーザ端末１０から受信したときは、前回提供したサムネイル画像の生成に利用した映像コンテンツ中の画像から予め設定された再生時間分経過後の画像位置を示す更新画像位置情報を生成する。
【００４０】
ＨＴＭＬデータ生成部２５３は、ユーザ端末１０から受信した要求に対応する提供データとしてのＨＴＭＬデータを生成して送受信部２４からユーザ端末１０に送信させる。
【００４１】
このとき、受信した要求がログイン要求のときは、ユーザ認証部２５１でユーザＩＤとパスワードが正規のユーザのものであると認証されたときにのみ、操作メニュー画面のＨＴＭＬデータを生成する。
【００４２】
また、受信した要求が初期サムネイル画像取得要求または更新サムネイル画像取得要求のときは、サムネイル画像記録部２６で記録された初期サムネイル画像または更新サムネイル画像の記録場所を含むコンテンツ情報のＨＴＭＬデータを生成する。
【００４３】
サムネイル画像取得部２５４は、送信された初期サムネイル画像または更新サムネイル画像の記録場所を示すＨＴＭＬデータに応答してユーザ端末１０から画像データ要求を受信したときは、この記録場所に記録された初期サムネイル画像または更新サムネイル画像をサムネイル画像記録部２６から取得して送受信部２４からユーザ端末１０に送信させる。
【００４４】
サムネイル画像記録部２６は、画像位置情報生成部２５２で生成された初期画像位置情報または更新画像位置情報に対応する画像をコンテンツ記録部２３から取得して初期サムネイル画像または更新サムネイル画像として記録する。
【００４５】
《第１実施形態によるサムネイル画像表示システムの動作》
本実施形態によるサムネイル画像表示システムの動作を図２のシーケンス図、および図３〜図８の画面構成図を参照して説明する。図３〜図８は、ユーザ端末１０として携帯電話端末を使用した場合を示す画面構成図である。
【００４６】
本実施形態によるサムネイル画像表示システムに利用されるＤＶＤレコーダ２０では、リモコンなどから受信した録画指示のコントロール信号がコントロール信号入力部２１から入力されると、外部から入力された映像信号が受信されたコントロール信号に基づいてＡ／Ｄ変換および圧縮処理などが施され、コンテンツ記録部２３に記録される。
【００４７】
また、ＤＶＤレコーダ２０で、リモコンなどから受信した再生指示のコントロール信号がコントロール信号入力部２１から入力されると、コンテンツ記録部２３に記録されている映像信号に伸張処理およびＤ／Ａ変換などが施され、モニタ等に出力される。
【００４８】
本実施形態において、ＤＶＤレコーダ２０に記録されたコンテンツの情報およびサムネイル画像をユーザ端末１０に表示させる処理について説明する。
【００４９】
本実施形態において、ユーザ端末１０とＤＶＤレコーダ２０との通信は、すべてインターネット３０を介して行われる。
【００５０】
まず、ユーザによりユーザ端末１０の入力部１１が操作され、ＤＶＤレコーダ２０のＵＲＬ（Uniform Resource Locator）が入力される（Ｓ１）。入力部１１によりＤＶＤレコーダ２０のＵＲＬが入力されると、ユーザ端末１０からＤＶＤレコーダ２０へアクセスするためのアクセス要求のＨＴＴＰデータがＨＴＴＰデータ生成部１２で生成され送受信部１３からＤＶＤレコーダ２０に送信される（Ｓ２）。
【００５１】
ユーザ端末１０から送信されたアクセス要求は、ＤＶＤレコーダ２０の送受信部２４を経由してＨＴＭＬデータ生成部２５３で受信される。
【００５２】
ＨＴＭＬデータ生成部２５３では、受信したアクセス要求に対応してログイン画面のＨＴＭＬデータが生成される。生成されたログイン画面のＨＴＭＬデータは、送受信部２４を経由してユーザ端末１０に送信される（Ｓ３）。
【００５３】
ＤＶＤレコーダ２０から送信されたログイン画面のＨＴＭＬデータは、ユーザ端末１０の送受信部１３を経由して表示部１４に出力され、図３に示すようなログイン画面が表示される（Ｓ４）。図３に示すように、ログイン画面にはユーザＩＤを入力するスペース４１、パスワードを入力するスペース４２、および入力されたユーザＩＤとパスワードとをＤＶＤレコーダ２０に送信するための「ログイン」ボタン４３、操作を取り消すための「取消」ボタン４４などが表示されている。
【００５４】
表示部１４にログイン画面が表示された状態でユーザにより入力部１１が操作されてスペース４１にユーザＩＤが入力されるとともにスペース４２にパスワードが入力され「ログイン」ボタン４３が押下されると、これらの入力された情報を含むログイン要求のＨＴＴＰデータがＨＴＴＰデータ生成部１２で生成され、送受信部１３からＤＶＤレコーダ２０に送信される（Ｓ５）。
【００５５】
ユーザ端末１０から送信されたログイン要求のＨＴＴＰデータは、ＤＶＤレコーダ２０の送受信部２４を経由してユーザ認証部２５１で受信される。
【００５６】
ユーザ認証部２５１では、ログイン要求のＨＴＴＰデータに含まれるユーザＩＤとパスワードとが正規のユーザのものであるか否かが確認される（Ｓ６）。
【００５７】
ユーザ認証部２５１でユーザＩＤとパスワードとが正規のユーザのものであると認証されたときは、受信したログイン要求に対応してＨＴＭＬデータ生成部２５３で操作メニューのＨＴＭＬデータが生成される。生成された操作メニューのＨＴＭＬデータは、送受信部２４を経由してユーザ端末１０に送信される（Ｓ７）。ここで、ユーザ認証部２５１でユーザＩＤとパスワードとが正規のユーザのものでないと判断されたときは、「ログインできません」というメッセージのＨＴＭＬデータがＨＴＭＬデータ生成部２５３で生成され、ユーザ端末１０に送信される。
【００５８】
ＤＶＤレコーダ２０から送信された操作メニューのＨＴＭＬデータは、ユーザ端末１０の送受信部１３を経由して表示部１４に出力され、図４に示すような操作メニューが表示される（Ｓ８）。図４に示すように操作メニューには、ＤＶＤレコーダ２０を遠隔操作するための「予約設定」ボタン４５、「予約一覧」ボタン４６、「予約重複検索」ボタン４７、「録画コンテンツ一覧」ボタン４８、および遠隔操作を終了するための「ログアウト」ボタン４９などの操作ボタンが表示されている。
【００５９】
表示部１４に操作メニューが表示された状態でユーザにより入力部１１が操作され「録画コンテンツ一覧」ボタン４８が押下されると、録画コンテンツ一覧要求のＨＴＴＰデータがＨＴＴＰデータ生成部１２で生成され、送受信部１３からＤＶＤレコーダ２０に送信される（Ｓ９）。
【００６０】
ユーザ端末１０から送信された録画コンテンツ一覧要求のＨＴＴＰデータは、ＤＶＤレコーダ２０の送受信部２４を経由して画像位置情報生成部２５２で受信される。
【００６１】
画像位置情報生成部２５２で録画コンテンツ一覧要求のＨＴＴＰデータが受信されると、登録番号1)〜25)の各コンテンツのサムネイル画像の位置情報である「play_start_point」の値が生成される。ここでは、各コンテンツのデフォルトのサムネイル画像である初期サムネイル画像の位置情報として「play_start_point」の値が「0」の初期位置情報が生成され、サムネイル画像記録部２６に送出される。
【００６２】
サムネイル画像記録部２６では、各コンテンツのサムネイル画像の初期位置情報が取得されると、コンテンツ記録部２３に記録されている登録番号1)〜25)のコンテンツからそれぞれ「play_start_point」の値が「0」に該当する画像が取得され初期サムネイル画像として記録される。
【００６３】
ここで、登録番号1)のコンテンツの初期サムネイル画像はファイル名として「thumb1.gif」、登録番号2)のコンテンツの初期サムネイル画像はファイル名として「thumb2.gif」、登録番号3)のコンテンツの初期サムネイル画像はファイル名として「thumb3.gif」・・・が付せられ記録される。
【００６４】
サムネイル画像記録部２６に初期サムネイル画像が記録されると、各コンテンツの初期サムネイル画像のファイル名がＨＴＭＬデータ生成部２５３に送出される。
【００６５】
ＨＴＭＬデータ生成部２５３で各コンテンツの初期サムネイル画像のファイル名が取得されると、受信した録画コンテンツ一覧要求のＨＴＴＰデータに対応してコンテンツ記録部２３に記録されている各コンテンツの登録番号、番組タイトル、録画日、録画開始時刻・終了時刻、放送局などの録画コンテンツ情報が取得され、初期サムネイル画像のファイル名が埋め込まれた録画コンテンツ情報の一覧である録画コンテンツ一覧のＨＴＭＬデータが生成される。
【００６６】
生成された録画コンテンツ一覧のＨＴＭＬデータは、送受信部２４を経由してユーザ端末１０に送信される（Ｓ１０）。
【００６７】
ＤＶＤレコーダ２０から送信された録画コンテンツ一覧のＨＴＭＬデータは、ユーザ端末１０の送受信部１３を経由して表示部１４に出力され、図５に示すような録画コンテンツ一覧が表示される（Ｓ１１）。
【００６８】
図５に示すように、本実施形態においてはコンテンツ記録部２３に記録された登録番号1)〜25)のコンテンツの中からユーザの指示によりジャンルが映画であるコンテンツ1)、4)、5)、7)、10)、11)が抽出され、録画コンテンツ一覧として表示されている。この録画コンテンツ一覧には、抽出された各コンテンツの録画コンテンツ情報５０、５２、５４、５６、５８、６０、および、初期サムネイル画像のファイル名が埋め込まれた「サムネイル」ボタン５１、５３、５５、５７、５９、６１、コンテンツを削除する画面へ遷移するための「削除画面へ」ボタン６２、操作メニュー画面に戻るための「メニューへ戻る」ボタン６３などが表示されている。
【００６９】
表示部１４に録画コンテンツ一覧が表示された状態でユーザにより入力部１１が操作され録画コンテンツ情報５０の「サムネイル」ボタン５１が押下されると、下記の数１に示すように定義されたサムネイル画像表示用画面要求を示すＰＯＳＴメソッドのＨＴＴＰデータがＨＴＴＰデータ生成部１２で生成され、送受信部１３からＤＶＤレコーダ２０に送信される（Ｓ１２）。
【００７０】
【数１】
2007208511.tif 000003
【００７１】
上記数１のＨＴＴＰデータにおいて「content」はコンテンツの登録番号であり、ここでは登録番号1)のコンテンツのサムネイル画像表示用画面が要求されていることを示す。
【００７２】
ユーザ端末１０から送信されたサムネイル画像表示用画面要求のＨＴＴＰデータは、ＤＶＤレコーダ２０の送受信部２４を経由してＨＴＭＬデータ生成部２５３で受信される。
【００７３】
ＨＴＭＬデータ生成部２５３では、受信したサムネイル画像表示用画面要求のＨＴＴＰデータに対応して、登録番号1)のコンテンツのサムネイル画像表示用画面のＨＴＭＬデータが生成される。
【００７４】
このサムネイル画像表示用画面のＨＴＭＬデータの中には、初期サムネイル画像のファイル名を含む下記の数２に示すように定義されたタグが挿入されている。
【００７５】
【数２】
2007208511.tif 000004
【００７６】
生成されたサムネイル画像表示用画面のＨＴＭＬデータは、送受信部２４を経由してユーザ端末１０に送信される（Ｓ１３）。
【００７７】
ＤＶＤレコーダ２０から送信されたサムネイル画像表示用画面のＨＴＭＬデータは、ユーザ端末１０の送受信部１３を経由して表示部１４に出力され、図６に示すような登録番号1)のコンテンツのサムネイル画像表示用画面が表示される（Ｓ１４）。図６に示すように、登録番号1)のコンテンツのサムネイル画像表示用画面は、録画コンテンツ情報５０、サムネイル画像表示用エリア６４、当該コンテンツを削除するための「削除実行」ボタン６５、新たなサムネイル画像に更新するための「サムネイル更新」ボタン６６、録画コンテンツ一覧画面に戻るための「一覧へ戻る」ボタン６７、操作メニュー画面に戻るための「メニューへ戻る」ボタン６８などが表示されている。
【００７８】
表示部１４にサムネイル画像表示用画面が表示されると、数２のタグに基づいて下記の数３に示すようなファイル名「thumb1.gif」のサムネイル画像取得要求を示すＧＥＴメソッドのＨＴＴＰデータがＨＴＴＰデータ生成部１２で生成され、送受信部１３からＤＶＤレコーダ２０に送信される（Ｓ１５）。
【００７９】
【数３】
2007208511.tif 000005
【００８０】
ユーザ端末１０から送信されたサムネイル画像取得要求のＨＴＴＰデータは、ＤＶＤレコーダ２０の送受信部２４を経由してサムネイル画像取得部２５４で受信される。
【００８１】
サムネイル画像取得部２５４では、受信したサムネイル画像取得要求のＨＴＴＰデータに対応して、サムネイル画像記録部２６からファイル名「thumb1.gif」の初期サムネイル画像が取得される（Ｓ１６）。
【００８２】
取得された初期サムネイル画像は、送受信部２４を経由してユーザ端末１０に送信される（Ｓ１７）。
【００８３】
ＤＶＤレコーダ２０から送信された初期サムネイル画像は、ユーザ端末１０の送受信部１３を経由して表示部１４に出力され、図７に示すようにサムネイル画像表示用エリア６４内に表示される（Ｓ１８）。
【００８４】
初期サムネイル画像が挿入されたサムネイル画像表示用画面が表示部１４に表示された状態で、ユーザにより入力部１１が操作され「サムネイル更新」ボタン６６が押下されると、下記の数４に示すような更新サムネイル画像取得要求を示すＰＯＳＴメソッドのＨＴＴＰデータがＨＴＴＰデータ生成部１２で生成され、送受信部１３からＤＶＤレコーダ２０に送信される（Ｓ１９）。
【００８５】
【数４】
2007208511.tif 000006
【００８６】
上記数４のＨＴＴＰデータにおいて「content」はコンテンツの登録番号であり、ここでは登録番号1)のコンテンツのサムネイル画像更新が要求されていることを示す。
【００８７】
ユーザ端末１０から送信された更新サムネイル画像取得要求のＨＴＴＰデータは、ＤＶＤレコーダ２０の送受信部２４を経由して画像位置情報生成部２５２で受信される。
【００８８】
画像位置情報生成部２５２で更新サムネイル画像取得要求のＨＴＴＰデータが受信されると、登録番号1)のコンテンツのサムネイル画像の位置情報である「play_start_point」の値に予め設定された値が加算され、更新位置情報としてサムネイル画像記録部２６に送出される。加算される値は更新位置情報の「play_start_point」が初期位置情報の「play_start_point」と異なる値になればよく、本実施形態においては「5」とする。
【００８９】
サムネイル画像記録部２６では、コンテンツ1)のサムネイル画像の更新位置情報が取得されると、コンテンツ記録部２３に記録されている登録番号1)のコンテンツから「play_start_point」の値が「5」に該当する画像（ここでは５分再生後の画像）が取得され、新たなサムネイル画像である更新サムネイル画像として記録される。
【００９０】
ここで、更新サムネイル画像は、乱数により生成されたファイル名として「thumb39387011.gif」が付せられ記録される。
【００９１】
サムネイル画像記録部２６に更新サムネイル画像が記録されると、該当するコンテンツの更新サムネイル画像のファイル名「thumb39387011.gif」がＨＴＭＬデータ生成部２５３に送出される。
【００９２】
ＨＴＭＬデータ生成部２５３では、受信した更新サムネイル画像取得要求のＨＴＴＰデータに対応して、登録番号1)のコンテンツの更新サムネイル画像表示用画面のＨＴＭＬデータが生成される。
【００９３】
このサムネイル画像表示用画面のＨＴＭＬデータの中には、表示される更新サムネイル画像のファイル名を含む下記の数５に示すように定義されたタグが挿入されている。
【００９４】
【数５】
2007208511.tif 000007
【００９５】
生成された更新サムネイル画像表示用画面のＨＴＭＬデータは、送受信部２４を経由してユーザ端末１０に送信される。
【００９６】
ＤＶＤレコーダ２０から送信された更新サムネイル画像表示用画面のＨＴＭＬデータは、ユーザ端末１０の送受信部１３を経由して表示部１４に出力され、登録番号1)のコンテンツの更新サムネイル画像表示用画面が表示される。
【００９７】
表示部１４に更新サムネイル画像表示用画面が表示されると、数５のタグに基づいて下記の数６に示すようなファイル名「thumb39387011.gif」の更新サムネイル画像取得要求を示すＧＥＴメソッドのＨＴＴＰデータがＨＴＴＰデータ生成部１２で生成され、送受信部１３からＤＶＤレコーダ２０に送信される。
【００９８】
【数６】
2007208511.tif 000008
【００９９】
ユーザ端末１０から送信された更新サムネイル画像取得要求のＨＴＴＰデータは、ＤＶＤレコーダ２０の送受信部２４を経由してサムネイル画像取得部２５４で受信される。
【０１００】
サムネイル画像取得部２５４では、受信した更新サムネイル画像取得要求のＨＴＴＰデータに対応して、サムネイル画像記録部２６からファイル名「thumb39387011.gif」の更新サムネイル画像が取得される（Ｓ２０）。
【０１０１】
取得された更新サムネイル画像は、送受信部２４を経由してユーザ端末１０に送信される（Ｓ２１）。
【０１０２】
ＤＶＤレコーダ２０から送信された更新サムネイル画像は、ユーザ端末１０の送受信部１３を経由して表示部１４に出力され、図８に示すようにサムネイル画像表示用エリア６４内に表示される（Ｓ２２）。
【０１０３】
更新サムネイル画像のファイル「thumb39387011.gif」は一度しか使用されないため、このファイル「thumb39387011.gif」がサムネイル画像取得部２５４に送出されると、サムネイル画像記録部２６内の更新サムネイル画像のファイル「thumb39387011.gif」は削除される（Ｓ２３）。
【０１０４】
更新サムネイル画像が表示された状態で、さらにユーザにより入力部１１が操作され「サムネイル更新」ボタン６６が押下されると、ステップＳ１９〜Ｓ２３の処理が繰り返され、新たな更新サムネイル画像がサムネイル画像表示用エリア６４に表示される。
【０１０５】
以上の第１実施形態によれば、ユーザによりサムネイル画像の更新要求があったときに初期のサムネイル画像とは異なる新たなサムネイル画像を生成して表示させることができる。そのため、初期のサムネイル画像がＣＭなどコンテンツ本編と関係のない画像であったときに、ユーザはボタン１つで所定時間先のサムネイル画像を見ることができる。
【０１０６】
また、ＰＣや一部の携帯電話では画像データのキャッシュ機能を有しており、取得した初期サムネイル画像はキャッシュに保存されるため、初期サムネイル画像のファイル名と更新サムネイル画像のファイル名とが同一であるとサムネイル画像の更新要求を行っても表示される画像が更新されなくなってしまう。しかし、本実施形態においては更新サムネイル画像のファイル名に乱数を用いるため、キャッシュ内の初期サムネイル画像が参照されることなく新たなサムネイル画像が要求され、サムネイル画像の更新処理を行うことができる。
【０１０７】
また、ユーザ端末からの遠隔操作でサムネイル画像の更新処理を行うことができるため、録画予約をしたコンテンツが最後まで録画されているかをユーザ端末で確認することができる。
【０１０８】
また、本実施形態においては、更新サムネイル画像のファイル名に乱数を用いたが、これには限定されず、記録された初期サムネイル画像のファイル名と重複しない文字列であればよい。例えば、生成したときの日時などを用いることもできる。
【０１０９】
〈第２実施形態〉
本発明の第２実施形態によるサムネイル画像表示システムは、映像信号記録再生装置としてのＤＶＤレコーダに記録された各映像コンテンツのサムネイル画像を、このＤＶＤレコーダにネットワークを介して接続された外部の端末としてのユーザ端末からの要求により更新する際に、通信データのキャッシュ機能を持ったユーザ端末で発生するサムネイル画像が更新されない不都合を回避するものである。
【０１１０】
《第２実施形態によるサムネイル画像表示システムの構成》
本実施形態によるサムネイル画像表示システムの構成は、第１実施形態と同様であるため図１を援用し、詳細な説明は省略する。
【０１１１】
《第２実施形態によるサムネイル画像表示システムの動作》
本実施形態によるサムネイル画像表示システムの動作は、図２のステップＳ１３で生成されるサムネイル画像表示用画面のＨＴＭＬデータ、および、ステップＳ１９で生成される更新サムネイル画像取得要求を示すＰＯＳＴメソッドのＨＴＴＰデータが異なる他は第１実施形態と同様であるため図２を援用し、詳細な説明は省略する。
【０１１２】
本実施形態では、ステップＳ１３でサムネイル画像表示用画面の中の「サムネイル更新」ボタンのＨＴＭＬデータは、下記数７に示すように定義される。
【０１１３】
【数７】
2007208511.tif 000009
【０１１４】
このように画面には表示させない（hidden）パラメータである「dummy」を定義し、この「dummy」に乱数（ここでは「12345678」）を使用している。
【０１１５】
また、ステップＳ１９で更新サムネイル画像取得要求を示すＰＯＳＴメソッドのＨＴＴＰデータが下記の数８に示すように定義される。
【０１１６】
【数８】
2007208511.tif 000010
【０１１７】
上記数８のＨＴＴＰデータにおいて「content」はコンテンツの登録番号であり、ここでは登録番号20)のコンテンツのサムネイル画像表示用画面が要求されていることを示す。
【０１１８】
以上の第２実施形態によれば、サムネイル画像表示用画面の中の「サムネイル更新」ボタンのＨＴＭＬデータで定義した「dummy」に乱数が使用されているため、ユーザ端末で生成される更新サムネイル画像取得要求を示すＰＯＳＴメソッドのＨＴＴＰデータは、初期サムネイル画像のサムネイル画像表示用画面を要求するときに生成されたＨＴＴＰデータとは異なるものであると判断される。そのため、ユーザ端末が通信データのキャッシュ機能を持っていても、キャッシュに保存されている初期サムネイル画像のサムネイル画像表示用画面を要求するときに生成されたＨＴＴＰデータは参照されず、ＤＶＤレコーダに更新サムネイル画像取得要求が送信され、新たなサムネイル画像に更新される。
【０１１９】
また、本実施形態においては、更新サムネイル画像取得要求を示すＰＯＳＴメソッドのＨＴＴＰデータに乱数を用いたが、これには限定されず、初期サムネイル画像のサムネイル画像表示用画面を要求するときに生成されたＨＴＴＰデータと重複しない文字列であればよい。例えば、生成されたときの日時などを用いることもできる。
【０１２０】
〈第３実施形態〉
本発明の第３実施形態によるサムネイル画像表示システムは、画面上に複数のサムネイル画像を同時に表示させ、個々にサムネイル画像の更新を行うことができるものである。
【０１２１】
《第３実施形態によるサムネイル画像表示システムの構成》
本実施形態によるサムネイル画像表示システムの構成は、第１実施形態または第２実施形態と同様であるため図１を援用し、詳細な説明は省略する。
【０１２２】
《第３実施形態によるサムネイル画像表示システムの動作》
本実施形態によるサムネイル画像表示システムの動作を図９のシーケンス図、および図１０および図１１の画面構成図を参照して説明する。
【０１２３】
図９において、ステップＳ３１〜ステップＳ３９の処理は、図２のステップＳ１〜ステップＳ９の処理と同様であるため詳細な説明は省略する。
【０１２４】
本実施形態では、ステップＳ４０で録画コンテンツ一覧のＨＴＭＬデータを生成する処理において、録画コンテンツ一覧のＨＴＭＬデータとして例えば下記の数９のような各コンテンツの初期サムネイル画像のファイル名を示すタグが埋め込まれたサムネイル画像表示用エリアを含む。
【０１２５】
【数９】
2007208511.tif 000011
【０１２６】
このタグは、登録番号20)のコンテンツの初期サムネイル画像のファイル名を示している。
【０１２７】
ステップＳ４０で生成された録画コンテンツ一覧のＨＴＭＬデータがＤＶＤレコーダ２０からユーザ端末１０に送信される（Ｓ４０）と、ユーザ端末１０の送受信部１３を経由して表示部１４に出力され、図１０に示すような録画コンテンツ一覧が表示される（Ｓ４１）。
【０１２８】
図１０に示すように、本実施形態においてはコンテンツ記録部２３に記録された登録番号1)〜25)のコンテンツの中からユーザの指示によりジャンルがドラマであるコンテンツ20)、22)、25)等が抽出され、録画コンテンツ一覧として表示されている。この録画コンテンツ一覧には、抽出された各コンテンツの録画コンテンツ情報６９、７２、７５、および、数９のような初期サムネイル画像のファイル名がそれぞれ埋め込まれたサムネイル画像表示用エリア７０、７３、７６、新たなサムネイル画像に更新するための「サムネイル更新」ボタン７１、７４、７７、表示されている以外に抽出されたコンテンツがある場合にそれらを表示させるための「次を見る」ボタン７８、操作メニュー画面に戻るための「メニューへ戻る」ボタン７９などが表示されている。
【０１２９】
表示部１４に録画コンテンツ一覧が表示されると、数９のタグに基づいて下記の数１０に示すような登録番号20)のコンテンツのサムネイル画像の要求を示すＧＥＴメソッドのＨＴＴＰデータがＨＴＴＰデータ生成部１２で生成され、送受信部１３からＤＶＤレコーダ２０に送信される（Ｓ４２）。
【０１３０】
【数１０】
2007208511.tif 000012
【０１３１】
ユーザ端末１０から送信されたサムネイル画像取得要求のＨＴＴＰデータは、ＤＶＤレコーダ２０の送受信部２４を経由してサムネイル画像取得部２５４で受信される。
【０１３２】
サムネイル画像取得部２５４では、受信したサムネイル画像取得要求のＨＴＴＰデータに対応して、サムネイル画像記録部２６からファイル名「thumb20.gif」の初期サムネイル画像が取得される（Ｓ４３）。
【０１３３】
取得された初期サムネイル画像は、送受信部２４を経由してユーザ端末１０に送信される（Ｓ４４）。
【０１３４】
ＤＶＤレコーダ２０から送信された初期サムネイル画像は、ユーザ端末１０の送受信部１３を経由して表示部１４に出力され、サムネイル画像表示用エリア７０内に表示される（Ｓ４５）。
【０１３５】
同様にしてステップＳ４２〜Ｓ４５の処理が繰り返され、登録番号22)、および25)の初期サムネイル画像がユーザ端末１０で取得され順次表示部１４の該当するサムネイル画像表示用エリアに表示される。
【０１３６】
ユーザ端末１０で全てのサムネイル画像が取得されると、図１１に示すように複数のコンテンツのサムネイル画像が同時に表示される。
【０１３７】
初期サムネイル画像が挿入されたサムネイル画像表示用画面が表示部１４に表示された状態で、ユーザにより入力部１１が操作され登録番号22)のコンテンツの「サムネイル更新」ボタン７４が押下されると、数４または数８に示すような更新サムネイル画像取得要求を示すＰＯＳＴメソッドのＨＴＴＰデータがＨＴＴＰデータ生成部１２で生成され、送受信部１３からＤＶＤレコーダ２０に送信される（Ｓ４６）。
【０１３８】
ステップＳ４７〜ステップＳ５０の処理は、図２のステップＳ２０〜ステップＳ２３の処理と同様であるため詳細な説明は省略する。
【０１３９】
登録番号22)のコンテンツの更新サムネイル画像が表示された状態を図１２に示す。図１２に示すように、登録番号22)のコンテンツのサムネイル画像表示用画面は、録画コンテンツ情報７２、サムネイル画像表示用エリア７３、当該コンテンツを削除するための「削除実行」ボタン８０、新たなサムネイル画像に更新するための「サムネイル更新」ボタン８１、録画コンテンツ一覧画面に戻るための「一覧へ戻る」ボタン８２、操作メニュー画面に戻るための「メニューへ戻る」ボタン８３などが表示されている。
【０１４０】
以上の第３実施形態によれば、ＤＶＤレコーダに記録されている複数のコンテンツのサムネイル画像を同時にユーザ端末に表示させることができるため、ユーザが所望のコンテンツを検索する際にコンテンツごとにサムネイル画像を取得する方法よりも操作工程を低減させることができる。
【図面の簡単な説明】
【０１４１】
【図１】本発明の第１実施形態〜第３実施形態によるサムネイル画像表示システムの構成を示すブロック図である。
【図２】本発明の第１実施形態および第２実施形態によるサムネイル画像表示システムの動作を示すシーケンス図である。
【図３】本発明の第１実施形態〜第３実施形態によるサムネイル画像表示システムのユーザ端末に表示されたログイン画面を示す画面構成図である。
【図４】本発明の第１実施形態〜第３実施形態によるサムネイル画像表示システムのユーザ端末に表示された操作メニューを示す画面構成図である。
【図５】本発明の第１実施形態および第２実施形態によるサムネイル画像表示システムのユーザ端末に表示された録画コンテンツ一覧を示す画面構成図である。
【図６】本発明の第１実施形態および第２実施形態によるサムネイル画像表示システムのユーザ端末に表示されたサムネイル画像表示用画面を示す画面構成図である。
【図７】本発明の第１実施形態および第２実施形態によるサムネイル画像表示システムのユーザ端末に表示されたサムネイル画像表示用画面に初期サムネイル画像が表示された状態を示す画面構成図である。
【図８】本発明の第１実施形態および第２実施形態によるサムネイル画像表示システムのユーザ端末に表示されたサムネイル画像表示用画面に更新サムネイル画像が表示された状態を示す画面構成図である。
【図９】本発明の第３実施形態によるサムネイル画像表示システムの動作を示すシーケンス図である。
【図１０】本発明の第３実施形態によるサムネイル画像表示システムのユーザ端末に表示された録画コンテンツ一覧を示す画面構成図である。
【図１１】本発明の第３実施形態によるサムネイル画像表示システムのユーザ端末に表示された録画コンテンツ一覧に初期サムネイル画像が表示された状態を示す画面構成図である。
【図１２】本発明の第３実施形態によるサムネイル画像表示システムのユーザ端末に更新サムネイル画像が表示された状態を示す画面構成図である。
【図１３】従来のサムネイル画像表示システムの動作を示すシーケンス図である。
【図１４】従来のサムネイル画像表示システムのユーザ端末に表示された録画コンテンツ一覧を示す画面構成図である。
【符号の説明】
【０１４２】
１…サムネイル画像表示システム
１０…ユーザ端末
１１…入力部
１２…ＨＴＴＰデータ生成部
１３…送受信部
１４…表示部
２０…ＤＶＤレコーダ
２１…コントロール信号入力部
２２…映像信号処理部
２３…コンテンツ記録部
２４…送受信部
２５…ＣＰＵ
２６…サムネイル画像記録部
３０…インターネット
４１…スペース
４２…スペース
４３…「ログイン」ボタン
４４…「取消」ボタン
４５…「予約設定」ボタン
４６…「予約一覧」ボタン
４７…「予約重複検索」ボタン
４８…「録画コンテンツ一覧」ボタン
４９…「ログアウト」ボタン
５０、５２、５４、５６、５８、６０…録画コンテンツ情報
５１、５３、５５、５７、５９、６１…「サムネイル」ボタン
６２…「削除画面へ」ボタン
６３…「メニューへ戻る」ボタン
６４…サムネイル画像表示用エリア
６５…「削除実行」ボタン
６６…「サムネイル更新」ボタン
６７…「一覧へ戻る」ボタン
６８…「メニューへ戻る」ボタン
６９、７２、７５…録画コンテンツ情報
７０、７３、７６…サムネイル画像表示用エリア
７１、７４、７７…「サムネイル更新」ボタン
７８…「次を見る」ボタン
７９…「メニューへ戻る」ボタン
８０…「削除実行」ボタン
８１…「サムネイル更新」ボタン
８２…「一覧へ戻る」ボタン
８３…「メニューへ戻る」ボタン
２５１…ユーザ認証部
２５２…画像位置情報生成部
２５３…ＨＴＭＬデータ生成部
２５４…サムネイル画像取得部
【図１】
2007208511.tif 000013
【図２】
2007208511.tif 000014
【図３】
2007208511.tif 000015
【図４】
2007208511.tif 000016
【図５】
2007208511.tif 000017
【図６】
2007208511.tif 000018
【図７】
2007208511.tif 000019
【図８】
2007208511.tif 000020
【図９】
2007208511.tif 000021
【図１０】
2007208511.tif 000022
【図１１】
2007208511.tif 000023
【図１２】
2007208511.tif 000024
【図１３】
2007208511.tif 000025
【図１４】
2007208511.tif 000026